(57)【要約】      （修正有）【課題】スキャナ機能を備えて文書画像をキャプチャしやすくするモバイル装置ホルダーを提供する。【解決手段】モバイル装置ホルダーは、収容空間が内設されるベース本体２１と、スキャンエリアを含むと共に収容空間中に設置される給紙経路と、スキャン予定文書を収容するために給紙経路の上流箇所に設置される給紙カセット２６３と、スキャンが完了した文書を排出するために給紙経路の下流箇所に設けられる排紙口２６４と、スキャン予定文書を駆動して給紙経路を通過するように収容空間中に設置される給紙ユニットと、モバイル装置を固定するためにベース本体に設置される装置固定ユニット２２と、を備える。装置固定ユニットはモバイル装置の位置を調整させると共にスキャンエリアの画像をキャプチャさせ、モバイル装置の撮影エリアがスキャン予定文書の幅より小さくならないようにする。【選択図】図４
0003222104.tif 000002
【実用新案登録請求の範囲】
【請求項１】
収容空間が内設されるベース本体と、
スキャンエリアを含むと共に前記収容空間中に設置される給紙経路と、
スキャン予定文書を収容するために前記給紙経路の上流箇所に設置される給紙カセットと、
スキャンが完了した文書を排出するために前記給紙経路の下流箇所に設けられる排紙口と、
スキャン予定文書を駆動して前記給紙経路を通過するように前記収容空間中に設置される給紙ユニットと、
モバイル装置を固定するために前記ベース本体に設置される装置固定ユニットと、
を備え、
前記装置固定ユニットにより前記モバイル装置を前記スキャンエリアの画像に位置合わせすると共に前記画像をキャプチャし、前記モバイル装置の撮影エリアがスキャン予定文書の幅より小さくならないようにすることを特徴とするモバイル装置ホルダー。
【請求項２】
前記スキャンエリアを照射するために前記装置固定ユニットに設置される照明装置を更に備えることを特徴とする請求項１に記載のモバイル装置ホルダー。
【請求項３】
前記装置固定ユニットと前記ベース本体とに連結されるホルダーが更に設置されることを特徴とする請求項１に記載のモバイル装置ホルダー。
【請求項４】
前記ホルダーは、前記ホルダーの両端に設けられるピボット軸を有し、前記ホルダーの両端が前記ピボット軸を介して前記装置固定ユニット及び前記ベース本体にそれぞれ連結される少なくとも１つの折り畳み機構と、前記装置固定ユニットに枢着されると共に自由端に少なくとも１つの第一係合部が設けられる第一係合部材と、前記ホルダーの表面に設けられると共に前記第一係合部材に対応するように設けられ、且つ前記第一係合部材との係合により前記装置固定ユニットと前記ホルダーとの相対位置が固定される第一係合溝と、前記ホルダーに枢着されると共に自由端に少なくとも１つの第二係合部が設けられる第二係合部材と、前記ベース本体の表面に設けられると共に前記第二係合部材に対応するように設けられ、且つ前記第二係合部材との係合により前記ホルダーと前記ベース本体との相対位置が固定される第二係合溝と、を更に備えることを特徴とする請求項３に記載のモバイル装置ホルダー。
【考案の詳細な説明】
【技術分野】
【０００１】
本考案は、モバイル装置ホルダー（Mobile Device Holder）に関し、更に詳しくは、連続給紙機能を有するホルダーに関する。
【背景技術】
【０００２】
従来、実体のある文書をコピー及び保存する場合、スキャナー及びパソコンを使用する。スキャナーにより文書の内容をスキャンした後にパソコンに伝送し、パソコンを利用してファイルを変換し保存する。
【考案の概要】
【考案が解決しようとする課題】
【０００３】
しかしながら、日常的にスキャンしなければならない文書が多くないライトユーザーにとっては、スキャナーを購入するのは経済的とはいえず、スマートフォン等のモバイル装置のカメラを利用して文書画像を直接キャプチャした方が合理的である。但し、モバイル装置を使用してキャプチャした文書画像は通常品質は期待できず、手が震えたり、文書が真っ直ぐ平面にならなかったりした。また、大量の文書をキャプチャするために１枚１枚手動で撮影するのでは面倒であった。このように様々な理由により、モバイル装置を利用して文書をスキャンすることは、その仕上がりも利便性も従来のスキャナーには遠く及ばなかった。
そこで、本考案者は上記の欠点が改善可能と考え、鋭意検討を重ねた結果、合理的設計で上記の課題を効果的に改善する本考案の提案に至った。
本考案はこうした状況に鑑みてなされたものであり、その目的は、モバイル装置と組み合わせて使用するホルダーにより、使用者が文書画像をキャプチャしやすくするほか、自動給紙や文書の位置補正等の従来のスキャナーが備えている機能を提供することにある。
【課題を解決するための手段】
【０００４】
上記課題を解決する本考案は、収容空間が内設されるベース本体と、スキャンエリアを含むと共に前記収容空間中に設置される給紙経路と、スキャン予定文書を収容するために前記給紙経路の上流箇所に設置される給紙カセットと、スキャンが完了した文書を排出するために前記給紙経路の下流箇所に設けられる排紙口と、スキャン予定文書を駆動して前記給紙経路を通過するように前記収容空間中に設置される給紙ユニットと、モバイル装置を固定するために前記ベース本体に設置される装置固定ユニットと、を備える。前記装置固定ユニットにより前記モバイル装置を前記スキャンエリアの画像に位置合わせすると共に前記画像をキャプチャし、前記モバイル装置の撮影エリアがスキャン予定文書の幅より小さくならないようにすることを特徴とする。
【０００５】
本考案の好適例において、前記モバイル装置ホルダーは、前記スキャンエリアを照射するために前記装置固定ユニットに設置される照明装置を更に備える。
【０００６】
本考案の好適例において、前記装置固定ユニットと前記ベース本体とに連結されるホルダーが更に設置される。
【０００７】
本考案の好適例において、前記ホルダーは、前記ホルダーの両端に設けられるピボット軸を有し、前記ホルダーの両端が前記ピボット軸を介して前記装置固定ユニット及び前記ベース本体にそれぞれ連結される少なくとも１つの折り畳み機構と、前記装置固定ユニットに枢着されると共に自由端に少なくとも１つの第一係合部が設けられる第一係合部材と、前記ホルダーの表面に設けられると共に前記第一係合部材に対応するように設けられ、且つ前記第一係合部材との係合により前記装置固定ユニットと前記ホルダーとの相対位置が固定される第一係合溝と、前記ホルダーに枢着されると共に自由端に少なくとも１つの第二係合部が設けられる第二係合部材と、前記ベース本体の表面に設けられると共に前記第二係合部材に対応するように設けられ、且つ前記第二係合部材との係合により前記ホルダーと前記ベース本体との相対位置が固定される第二係合溝と、を更に備える。
【考案の効果】
【０００８】
本考案によると、モバイル装置と組み合わせて使用するホルダーにより、使用者が文書画像をキャプチャしやすくするほか、自動給紙や文書の位置補正等の従来のスキャナーが備えている機能を提供する。
【図面の簡単な説明】
【０００９】
【図１】本考案の一実施形態に係るモバイル装置の斜視図及びサブモジュール図である。
【図２】撮影幅と撮影距離を示す概略図である。
【図３】本考案の一実施形態に係るモバイル装置ホルダーの断面図及びサブシステム図である。
【図４】本考案のモバイル装置ホルダーが折りたたみ状態から展開される動作を示す概略図である。
【図５】撮影装置と自動給紙装置との組み合わせのフローチャートである。
【図６】本考案の一実施形態に係る自動スキャンのフローチャートである。
【図７】本考案の他の実施形態に係る自動スキャンのフローチャートである。
【考案を実施するための形態】
【００１０】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【００１１】
本文中で使用する「用紙」及び／或いは「文書」という用語はメディアとする用紙、フィルム等の図形及び／或いは文字等の内容が記録される実体のある物品を含むが、これらに制限されない。
【００１２】
図１及び図３に示されるように、本考案のモバイル装置ホルダー２０はモバイル装置１０と組み合わせて用紙及び文書をスキャンするために用いられる。前記モバイル装置ホルダー２０及び／或いは前記モバイル装置１０にはサブモジュールが設けられるコンピュータ読み取り可能な記録媒体が内設され、且つ前記サブモジュールの実行時に一定の操作が行われる（詳細は後述する）。
【００１３】
本実施形態においては前記モバイル装置１０はスマートフォンとする。前記スマートフォンは、文書画像をキャプチャさせると共に元画像の連結中に一時保存するための撮影ユニット１１と、元画像の連結中に一時保存された文書画像を取り出すと共に対応する処理を行うための画像処理ユニット１２と、情報を表示させてフィードバック操作を提供するタッチパネルディスプレイ１３と、を備える。また、前記スマートフォンには他の専用または特定機能の操作ユニット、例えばファンクションキー、選択キー、ジョイスティック、タッチパネル等が更に実装される。ちなみに、本文中で描写する各技術及び特徴は、スマートフォン以外の他のモバイル装置１０、例えば電子計算機、ＰＤＡ、ゲーム機、デジタルカメラ、デジタルビデオカメラ等の中で実施可能であるが、これらに限定されていない。
【００１４】
前記画像処理ユニット１２は、撮影装置サブモジュール１４と、前記モバイル装置ホルダー２０から送信された通信を受信させると共に対応するサブモジュールを呼び出すための通信モジュール１４１と、前記元画像の連結中に一時保存された文書画像を取り出すと共に前記文書画像が正確に露光、整列、及び補正されているかどうかの検査を行い、前記文書画像の露光、整列、及び補正のうちの少なくとも１つの状態の組み合わせに異常が発生している場合は前記撮影ユニット１１のキャプチャ動作を一時停止させて前記撮影ユニット１１がキャプチャした画像のパラメーターの再調整を行う画像検査モジュール１４２と、前記元画像の連結中に一時保存された文書画像を取り出すと共に前記文書画像のコントラストを更に調整させ、前記文書画像中から必要な画像ブロックをトリミングし、前記画像ブロックをトリミング画像の連結中に一時保存させ、前記元画像の連結中に一時保存された文書画像を削除する画像トリミングモジュール１４３と、画像データ中の特徴点を探し出し、特徴点の数量を計算すると共に特徴点の数量に基づいて対応するサブモジュールを更に選択して呼び出す画像の特徴モジュール１４４と、前記トリミング画像の連結中に一時保存された画像ブロックを取り出すと共に異なる画像ブロック中に存在する同じ特徴点を探し出し、同じ特徴点を利用して異なる画像ブロックを順に継ぎ合わせて完全な文書画像を生成させる画像コラージュモジュール１４５と、前記トリミング画像の連結中に一時保存された画像ブロックを取り出すと共に長さを固定することで異なる画像ブロックを接続させて完全な文書画像を生成させる画像接続モジュール１４６と、前モバイル装置１０と前記モバイル装置ホルダー２０との間の相対位置を判断させ、且つ位置修正のための提示情報を表示させる位置補正モジュール１４７と、上カバーを開く、給紙カセット２６３が空になる、用紙搬送経路の紙詰まり、及び使用者が出した停止命令のうちの少なくとも１つの異常状態を検知させ、且つ異常状態が発生した際にスキャンプロセスを中断させる中止モジュール１４８と、を備える。
【００１５】
前記モバイル装置ホルダー２０は、収容空間２６が内設されるベース本体２１と、スキャンエリア２６２を含むと共に前記収容空間２６中に設置される給紙経路２６１と、スキャン予定文書を収容するために前記給紙経路２６１の上流箇所に設置される給紙カセット２６３と、スキャンが完了した文書を排出するために前記給紙経路２６１の下流箇所に設置される排紙口２６４と、文書を駆動して前記給紙経路２６１を通過するように前記収容空間２６中に設置される給紙ユニット２５と、モバイル装置１０を固定するために前記ベース本体２１に設置される装置固定ユニット２２と、前記スキャンエリア２６２を照射するように前記装置固定ユニット２２に設置される照明装置２７と、を備える。前記装置固定ユニット２２により前記モバイル装置１０を前記スキャンエリア２６２の画像に位置合わせすると共に前記画像をキャプチャし、前記モバイル装置１０の撮影エリアがスキャン予定文書の幅より小さくならないようにする。
【００１６】
図２に示されるように、一般的なモバイル装置１０の撮影角度θは固定であるため、前記モバイル装置１０とスキャン予定文書との間隔によって撮影可能な幅が決まる。前記モバイル装置１０とスキャン予定文書との距離Ｄが伸びると、撮影幅Ｗも伸びる。撮影幅Ｗ及び距離Ｄは次の関係式を満たす：Ｗ＝Ｄ＊２ｔａｎ（θ／２）。よって、前記モバイル装置１０が文書全体の文書画像を完全にキャプチャさせるためには、前記撮影幅Ｗは少なくともスキャン予定文書の幅Ｗｐと等しくせねばならず、よって前記モバイル装置１０とキャプチャされる目標との距離Ｄは少なくともＷｐ／２ｔａｎ（θ／２）より大きくせねばならない。
【００１７】
図３に示されるように、前記距離Ｄを伸ばすため、前記装置固定ユニット２２と前記ベース本体２１とに連結されるホルダー２３が更に設置されて前記装置固定ユニット２２の高さを嵩上げする。前記ホルダー２３の長さがＷｐ／２ｔａｎ（θ／２）より長くなるため前記モバイル装置１０が文書全体の文書画像を完全にキャプチャ可能となる。
【００１８】
図４に示されるように、収容しやすくするため、前記ホルダー２３に折り畳み機構２４が更に設置される。前記折り畳み機構２４は、前記ホルダー２３の両端に設置されるピボット軸２４１であって、前記ホルダー２３の両端が前記ピボット軸２４１を介して前記装置固定ユニット２２及び前記ベース本体２１にそれぞれ連結される、ピボット軸２４１と、前記装置固定ユニット２２に枢着される第一係合部材２４２であって、前記第一係合部材２４２の自由端に少なくとも１つの第一係合部２４２ａが設けられる、第一係合部材２４２と、前記ホルダー２３の表面に設けられる第一係合溝２４４であって、前記第一係合溝２４４は前記第一係合部材２４２に対応するように設けられ、且つ前記第一係合溝２４４が前記第一係合部材２４２と組み立てられることにより前記装置固定ユニット２２と前記ホルダー２３との相対位置が固定される、第一係合溝２４４と、前記ホルダー２３に枢着される第二係合部材２４３であって、前記第二係合部材２４３の自由端に少なくとも１つの第二係合部２４３ａが設けられる、第二係合部材２４３と、前記ベース本体２１の表面に設けられる第二係合溝２４５であって、前記第二係合溝２４５は前記第二係合部材２４３に対応するように設けられ、且つ前記第二係合溝２４５が前記第二係合部材２４３と組み立てられることにより前記ホルダー２３と前記ベース本体２１との相対位置が固定される、第二係合溝２４５と、を備える。
【００１９】
図３に戻って、好ましい実施形態において、前記モバイル装置ホルダー２０は、伝送するメッセージの違いに応じて前記モバイル装置１０に異なる通信を送信させる送信モジュール２８１と、スキャン予定文書を一定速度で給送させるように前記給紙ユニット２５を制御させると共に給紙カセット２６３が空になる、用紙搬送経路に紙が詰まる、及び使用者が停止命令を出す等の異常状態を検知させ、且つ前記異常状態を検知した際に給紙プロセスを中断させる給紙制御モジュール２８２とを有する用紙搬送サブモジュール２８を備える。
【００２０】
図５を参照しながら、本考案が実施する文書スキャンのフローチャートをさらに詳しく説明する。
【００２１】
まず、前記モバイル装置１０を取り付ける際に、前記モバイル装置１０がスキャン予定文書の文書画像を正確にキャプチャさせるようにするため、前記モバイル装置１０及び前記モバイル装置ホルダー２０が下記の操作ステップを実行するように制御される。
【００２２】
使用者がモバイル装置ホルダー２０及び前記モバイル装置ホルダー２０と組み合わせて使用されるモバイル装置１０を起動させる。モバイル装置ホルダー２０の起動後に前記給紙制御モジュール２８２が呼び出され、前記給紙制御モジュール２８２は制限されないが給紙カセット２６３中にスキャン予定文書があるかどうか、用紙搬送経路中に紙詰まり等の異常状態がないかどうかの検査を行う。いかなる異常状態も検知されなかった場合、前記モバイル装置ホルダー２０と前記モバイル装置１０との間にプライベート通信ネットワークが構築される。好ましい実施形態において、前記プライベート通信ネットワークは光学画像識別によって実行される。前記モバイル装置１０は前記モバイル装置ホルダー２０の光学画像をキャプチャさせると共にこれに基づいて前記モバイル装置ホルダー２０から送信された通信を判断させる。画像キャプチャ及び光学画像処理能力は前記モバイル装置１０に備わっているため、通信を受信させるためのユニットを別途増設させる必要はない。また、前記モバイル装置ホルダー２０が送信させる通信は一方向通信であり、設計上前記モバイル装置１０が返信させるいかなる情報も受信させる必要がなく、その通信方法はインターネット、移動体通信ネットワーク等の公衆ネットワークを通さず、短いエリア内で１対１の通信を行うのみであり、送信モジュール２８１の設置コストが減少する。
【００２３】
次に、前記送信モジュール２８１が呼び出され、前記プライベート通信ネットワークを介して前記モバイル装置１０に通信が送られる。好ましい実施形態において、前記送信モジュール２８１により前記照明ユニットがスキャン位置箇所の露光度合いを調整するように制御され、これにより異なるメッセージが伝送される。ちなみに、これは説明のための例にすぎず、この形態に制限するわけではない。前記一方向通信は画像中に含まれるテクスチャ、パターン、露光度合い、コントラスト、色等の他の特徴の差異を利用して情報を伝送させるが、但しこれらに限られない。
【００２４】
前記モバイル装置１０の起動後に前記通信モジュール１４１が呼び出される。前記通信モジュール１４１は前記モバイル装置１０が一定間隔で画像を連続的にキャプチャさせる方式により前記通信を受信させ、且つ受信された通信内容に基づいて下記の操作の１つが選択されて実行される。
【００２５】
受信された通信内容中に前記スキャン位置の特徴が全く表示されていない場合、例えば、画像が全面的に真っ黒に表示されたり、モバイル装置ホルダー２０以外のパターン／輪郭が表示された場合、前記通信モジュール１４１が操作され、前記タッチパネルディスプレイ１３には撮影レンズがモバイル装置ホルダー２０に近付きすぎている旨の指示メッセージが表示される。
【００２６】
受信された通信内容が前記スキャン位置箇所の特徴を含む場合、前記通信モジュール１４１が位置補正モジュール１４７を呼び出す。前記位置補正モジュール１４７が操作されて前記モバイル装置１０と前記モバイル装置ホルダー２０との間の相対位置が更に計算され、且つ前記タッチパネルディスプレイ１３には相対位置が修正された旨の指示メッセージが表示される。
【００２７】
受信された通信内容にキャプチャされた前記スキャン位置箇所の特徴が表示されており、且つ位置補正モジュール１４７が呼び出された後に前記モバイル装置１０と前記モバイル装置ホルダー２０との間の相対位置が０であると算出された場合、位置補正モジュール１４７が操作されると共に前記タッチパネルディスプレイ１３には位置補正が完了した旨の指示メッセージが表示される。
【００２８】
本実施形態に係る前記送信モジュール２８１が前記モバイル装置１０に対してスキャン位置箇所の特徴を含む画像を送信させ、且つこれに基づいて前記モバイル装置ホルダー２０と前記モバイル装置１０との相対位置が計算され、相対位置の違いに応じて対応する操作が行われる。然しながら、これは通信について説明する例にすぎず、スキャン位置箇所の画像に限定されるわけではない。
【００２９】
図６は使用者がモバイル装置ホルダー２０及びモバイル装置１０の組み立てを完成させ、スキャン開始準備をする際のフローチャートを示す。複数頁の文書のスキャンの自動化を達成させるため、下記の操作ステップを実行するように前記モバイル装置１０及び前記モバイル装置ホルダー２０が制御される。
【００３０】
前記モバイル装置ホルダー２０が給紙制御モジュール２８２を起動させると共に給紙カセット２６３にスキャン予定文書があるかどうか、用紙搬送経路に紙詰まり等の異常状態が発生していないかどうかの検査が行われるが、検査項目は前記ものに限られない。
【００３１】
いかなる異常状態も検知されなかった場合、前記モバイル装置１０とモバイル装置ホルダー２０との間にプライベート通信ネットワークが構築され、且つ前記送信モジュール２８１が呼び出され、前記プライベート通信ネットワークを通して前記モバイル装置１０に通信が送られる。この実施形態において、前記送信モジュール２８１が操作されて一定速度でスキャン予定文書の給送を開始させると共に前記照明ユニットが前記スキャン位置箇所を照射させるように前記給紙ユニット２５が制御される。
【００３２】
前記モバイル装置１０の起動後に前記通信モジュール１４１が呼び出され、前記通信モジュール１４１は前記撮影ユニット１１が一定間隔で画像を連続キャプチャさせる方式により前記通信を受信させ、且つ受信された通信内容に基づいて下記の操作の１つが選択されて実行される。
【００３３】
前記通信内容中に前記スキャン位置箇所が照射された状態であるという特徴を有する場合、撮影ユニット１１が前記スキャン位置箇所を通過させるスキャン予定文書を一定間隔でキャプチャさせるように制御され、文書画像が取得されると共に元画像の連結中に一時保存され、且つ同時に画像検査モジュール１４２、画像トリミングモジュール１４３、及び画像接続モジュール１４６が呼び出されて対応する操作が実行される。
【００３４】
前記通信内容中に前記スキャン位置箇所が未照射状態であるという特徴を有する場合、モバイル装置ホルダー２０が正常に動作していない旨の指示メッセージが表示されるように前記タッチパネルディスプレイ１３が制御される。
【００３５】
本実施形態では、前記モバイル装置ホルダー２０が前記モバイル装置１０に対して送信する通信がスキャン位置箇所の画像であり、且つ前記モバイル装置１０が受信された前記画像の露光度合いの違いに基づいて前記モバイル装置ホルダー２０が給紙準備を終えたかどうかを確認すると、対応する操作が実行される。然しながら、前記通信は説明のための例にすぎず、画像の露光度合いに制限するわけではない。
【００３６】
他の可能な実施形態では、前記送信モジュール２８１は画像中にテクスチャ、パターン、色等の特徴の違いを含むが、これらに限られない。前記モバイル装置１０に前記モバイル装置ホルダー２０が給紙準備を終えたという情報の通信が送られると、前記モバイル装置１０が前記通信に応じて対応する操作を実行させる。
【００３７】
図７には使用者がモバイル装置ホルダー２０とモバイル装置１０との組み立てを完成させてスキャン開始準備をするフローチャートを示す。複数頁の文書のスキャンの自動化を達成させるため、前記モバイル装置１０及び前記モバイル装置ホルダー２０が下記の異なる操作ステップを実行させるように制御される。
【００３８】
前記モバイル装置ホルダー２０が給紙制御モジュール２８２を起動させると共に、給紙カセット２６３にスキャン予定文書があるかどうか、用紙搬送経路に紙詰まり等の異常状態が発生していないかどうかの検査が行われるが、検査項目は前記ものに限られない。
【００３９】
いかなる異常状態も検知されない場合、前記モバイル装置１０とモバイル装置ホルダー２０との間にプライベート通信ネットワークが構築され、且つ前記送信モジュール２８１が呼び出され、前記プライベート通信ネットワークを介して前記モバイル装置１０に通信が送られる。この実施形態では、前記送信モジュール２８１が操作されると共に前記給紙ユニット２５が一定速度でスキャン予定文書の給送を開始すると共に前記照明ユニットが前記スキャン位置箇所を照射するように制御される。
【００４０】
前記モバイル装置１０が起動された後に前記通信モジュール１４１が呼び出される。前記通信モジュール１４１は前記撮影ユニット１１により画像を一定間隔で連続キャプチャさせる方式で前記通信を受信させる。
【００４１】
前記画像の特徴モジュール１４４が呼び出され、前記画像の特徴モジュール１４４が前記通信中に含まれる特徴点を探し出し、且つ特徴点の数量に基づいて下記の操作の１つが選択されて実行される。
【００４２】
前記通信中に前記モバイル装置ホルダー２０が給紙準備を終えた旨の情報が含まれ、且つ通信内容中に含まれる特徴点の数量が閥値よりも多い場合、文書中に相当量のパターン、文字、テクスチャ等のメッセージが含まれていることを示す。特徴点を比較することにより異なる画像ブロックを精確に継ぎ合わせることが可能となる。
【００４３】
この際、撮影ユニット１１が前記スキャン位置箇所を通過させるスキャン予定文書を一定間隔でキャプチャするように制御され、文書画像が取得されると共に元画像の連結中に一時保存され、且つ同時に画像検査モジュール１４２、画像トリミングモジュール１４３、画像の特徴モジュール１４４、及び画像コラージュモジュール１４５が呼び出されて対応する操作が実行される。
【００４４】
前記通信内容中に含まれる特徴点の数量が閥値より少ない場合、文書中に空白または重複した単一のテクスチャが大量に含まれていることを示す。この状態では特徴点を比較することで画像ブロックを継ぎ合わせることが難しいため、画像の長さを固定して直接接続する方式により画像ブロックを組み合わせて完全な文書画像を得る。
【００４５】
この際、撮影ユニット１１が前記スキャン位置箇所を通過させるスキャン予定文書を一定間隔でキャプチャするように制御され、文書画像が取得されると共に元画像の連結中に一時保存され、且つ同時に画像検査モジュール１４２、画像トリミングモジュール１４３、及び画像接続モジュール１４６が呼び出されて対応する操作が実行される。
【００４６】
本実施形態では、前記モバイル装置ホルダー２０が前記モバイル装置１０に対して送信する通信がスキャン位置箇所の画像であり、且つ前記モバイル装置１０が受信された前記画像の特徴点の数量の違いに基づいて対応する操作を実行させる。然しながら、前記通信は説明のための例にすぎず、画像の特徴点の数量に限定するものではない。
【００４７】
他の可能な実施形態では、前記送信モジュール２８１は限定されないが画像中に含まれるテクスチャ、パターン、露光、色等の特徴の違いを前記モバイル装置１０に前記通信として送信させ、前記モバイル装置１０が前記通信に応じて対応する操作を実行させる。
【００４８】
以上を総合すると、本考案はモバイル装置ホルダー２０、及び前記モバイル装置ホルダー２０に組み合わせられるあらゆるモバイル装置１０を利用して複数頁の文書のスキャンを行う方法を提供する。これによりスキャン装置を携帯可能にすると同時に複数頁の文書の自動スキャン能力を維持させ、文書スキャン装置全体の設置コストを低下させる。
以上、本明細書に開示された実施例は、本考案を限定するものではなく、説明するためのものであり、このような実施例によって本考案の思想と範囲が限定されるものではない。本考案の範囲は実用新案登録請求の範囲により解釈すべきであり、それと同等の範囲内にある全ての技術は、実用新案登録請求の範囲に含まれるものと解釈すべきである。
【符号の説明】
【００４９】
１０  モバイル装置
１１  撮影ユニット
１２  画像処理ユニット
１３  タッチパネルディスプレイ
１４  撮影装置サブモジュール
１４１  通信モジュール
１４２  画像検査モジュール
１４３  画像トリミングモジュール
１４４  画像の特徴モジュール
１４５  画像コラージュモジュール
１４６  画像接続モジュール
１４７  位置補正モジュール
１４８  中止モジュール
２０  モバイル装置ホルダー
２１  ベース本体
２２  装置固定ユニット
２３  ホルダー
２４  折り畳み機構
２４１  ピボット軸
２４２  第一係合部材
２４２ａ  第一係合部
２４３  第二係合部材
２４３ａ  第二係合部
２４４  第一係合溝
２４５  第二係合溝
２５  給紙ユニット
２６  収容空間
２６１  給紙経路
２６２  スキャンエリア
２６３  給紙カセット
２６４  排紙口
２７  照明装置
２８  用紙搬送サブモジュール
２８１  送信モジュール
２８２  給紙制御モジュール
【図１】
0003222104.tif 000003
【図２】
0003222104.tif 000004
【図３】
0003222104.tif 000005
【図４】
0003222104.tif 000006
【図５】
0003222104.tif 000007
【図６】
0003222104.tif 000008
【図７】
0003222104.tif 000009
【手続補正書】
【提出日】令和1年5月10日(2019.5.10)
【手続補正１】
【補正対象書類名】実用新案登録請求の範囲
【補正対象項目名】全文
【補正方法】変更
【補正の内容】
【実用新案登録請求の範囲】
【請求項１】
収容空間が内設されるベース本体と、
スキャンエリアを含むと共に前記収容空間中に設置される給紙経路と、
スキャン予定文書を収容するために前記給紙経路の上流箇所に設置される給紙カセットと、
スキャンが完了した文書を排出するために前記給紙経路の下流箇所に設けられる排紙口と、
スキャン予定文書を駆動して前記給紙経路を通過するように前記収容空間中に設置される給紙ユニットと、
モバイル装置を固定するために前記ベース本体に設置される装置固定ユニットと、
前記装置固定ユニットと前記ベース本体とに連結されるホルダーと、
を備え、
前記装置固定ユニットにより前記モバイル装置を前記スキャンエリアの画像に位置合わせすると共に前記画像をキャプチャし、
前記モバイル装置の撮影角度をθとし、前記スキャン予定文書の幅をＷｐとする場合に、前記ホルダーの長さがＷｐ／２ｔａｎ（θ／２）より長くなる、
ことを特徴とするモバイル装置ホルダー。
【請求項２】
前記スキャンエリアを照射するために前記装置固定ユニットに設置される照明装置を更に備えることを特徴とする請求項１に記載のモバイル装置ホルダー。
【請求項３】
前記ホルダーは、前記ホルダーの両端に設けられるピボット軸を有し、前記ホルダーの両端が前記ピボット軸を介して前記装置固定ユニット及び前記ベース本体にそれぞれ連結される少なくとも１つの折り畳み機構と、前記装置固定ユニットに枢着されると共に自由端に少なくとも１つの第一係合部が設けられる第一係合部材と、前記ホルダーの表面に設けられると共に前記第一係合部材に対応するように設けられ、且つ前記第一係合部材との係合により前記装置固定ユニットと前記ホルダーとの相対位置が固定される第一係合溝と、前記ホルダーに枢着されると共に自由端に少なくとも１つの第二係合部が設けられる第二係合部材と、前記ベース本体の表面に設けられると共に前記第二係合部材に対応するように設けられ、且つ前記第二係合部材との係合により前記ホルダーと前記ベース本体との相対位置が固定される第二係合溝と、を更に備えることを特徴とする請求項１に記載のモバイル装置ホルダー。